(57)【要約】  【課題】      いわゆるスポーツタイプのシートであってもその取り付けに支障が生じない車載用モニター取付具を提供する。  【解決手段】  車載用モニター取付具10では、左右一対のヘッドレストステーSに取り付けられた一対の固定台12がシートの後方に向かってそれぞれ延びており、その後端部にアーム14が架設されているので、車載用モニター取付具10をヘッドレストステーSに取り付けた状態では、アーム14がシートの背面側に配置される。したがって、車載用モニター取付具10の取り付け対象がスポーツタイプのシートであっても、シート上方に形成された凹所Rの上部に車載用モニター取付具10が配置されることがなく、ヘッドレストの位置が不所望に高くなることはない。【選択図】      図９
2005313861.tif 000002
【特許請求の範囲】
【請求項１】
一端がヘッドレストステーに取り付けられ、他端がシートの後方へ向けて延びる左右一対の固定台と、
一端が前記一対の固定台の後端部に架設されている長尺のアームと、
前記アームの自由端側に取り付けられ、車載用モニターが取着される取付部材とで構成されていることを特徴とする車載用モニター取付具。
【請求項２】
アームは、前記一対の固定台の後端部に架設・固定される固定側アームと、固定側アームに対して軸方向にスライドするスライド側アームとで構成されており、取付部材がスライド側アームの自由端側に取り付けられている事を特徴とする請求項１に記載の車載用モニター取付具。
【請求項３】
前記アームは、外径の異なる複数の筒状部材により構成されており、スライド側アームである細径筒状部材が、固定側アームである太径筒状部材に入れ子状に収容されていることを特徴とする請求項２に記載の車載用モニター取付具。
【請求項４】
固定台は、アームに取り付けられるアーム側固定台と、ヘッドレストステーに取り付けられるステー側固定台とで構成されており、ステー側固定台に対してアーム側固定台が後方にスライドして固定台の全長が伸縮可能となっていることを特徴とする請求項１〜３の何れかに記載の車載用モニター取付具。
【請求項５】
前記固定台は、アームに取り付けられるアーム側固定台と、ヘッドレストステーに取り付けられるステー側固定台とで構成されており、アーム側固定台に対してステー側固定台が水平方向に回動することにより固定台の全長が調整可能となっていることを特徴とする請求項１〜４の何れかに記載の車載用モニター取付具。
【発明の詳細な説明】
【技術分野】
【０００１】
本発明は、車載用モニターを車室内、より詳しくは前部座席に取り付けるための車載用モニター取付具に関する。
【背景技術】
【０００２】
車載用モニター（以下、単に「モニター」という。）を前部座席に取り付けるための取付具として、これまでに様々なタイプのものが提案されている。このような技術の一つとして、図１９で示すように、シートの左右方向中央側に延び、ヘッドレストステー(S)が挿通される挿通孔を有する固定台(1)と、固定台(1)の側端に取り付けられ、シートの側方へ向かって延びるアーム(2)とで構成されている車載用モニター取付具(3)が存在する（例えば、特許文献１参照。）。
【０００３】
この従来技術では、シートの側方へ向かって延びるアーム(2)の先端にモニター(M)を取り付けるようにしており、モニター(M)が運転席と助手席との間に配置されるので、後部座席のどこに座ってもモニターが見え易い。
【特許文献１】特開２００３−２２０８９７号（図１）
【発明の開示】
【発明が解決しようとする課題】
【０００４】
ところで、近年では、図１９の仮想線で示すように、シートの上部中央部分が凹んでおり、この凹所(R)内にヘッドレスト(H)を配置するようにした、いわゆるスポーツタイプのシートが人気を博している。
【０００５】
しかしながら、従来技術のものをスポーツタイプのシートに取り付けようとすると、車載用モニター取付具(3)が横長棒状に構成されているため、凹所(R)の内部に収容することはできず、凹所(R)の上部に配置せざるを得ない。その結果、車載用モニター取付具(3)が邪魔となってヘッドレスト(H)を凹所(R)内に収容することができず、ヘッドレストの位置が不所望に高くなってしまうという問題があった。
【０００６】
また、最近では、運転席と助手席とのシート間隔を広く取り、前部座席と後部座席との間を行き来しやすくした、いわゆるウォークスルータイプの車が人気を博しているが、かかる車に従来技術を適用すると、運転席と助手席との間に配置したモニターが前部座席と後部座席との間の行き来の妨げとなり、せっかくのウォークスルー機能が台無しになってしてしまうという問題があった。
【０００７】
それ故に、本発明の主たる目的は、普通の乗用車やウォークスルータイプのものは勿論、スポーツタイプのシートに取り付けた場合であってもその取り付け時に支障が生じない車載用モニター取付具を提供することである。
【課題を解決するための手段】
【０００８】
請求項１に記載の車載用モニター取付具(10)(80)は、「一端がヘッドレストステー(S)に取り付けられ、他端がシートの後方へ向けて延びる左右一対の固定台(12)(82)と、一端が一対の固定台(12)(82)の後端部に架設されている長尺のアーム(14)と、アーム(14)の自由端側に取り付けられ、車載用モニター(M)が取着される取付部材(16)とで構成されている」ことを特徴とするものである。
【０００９】
この発明では、左右一対の固定台(12)(82)の後端部にアーム(14)を架設しているので、車載用モニター取付具(10)(80)をシートに取り付けた状態では、アーム(14)はシートの背面側に配置されることとなる。
【００１０】
請求項２に記載の車載用モニター取付具(10)(80)は、請求項１を限定したものであり、「アーム(14)は、前記一対の固定台(12)(82)の後端部に架設・固定される固定側アーム(14a)と、固定側アーム(14a)に対して軸方向にスライドするスライド側アーム(14b)とで構成されており、取付部材(16)がスライド側アーム(14b)の自由端側に取り付けられている」事を特徴とする。
【００１１】
請求項３に記載の車載用モニター取付具(10)(80)は、請求項２を更に限定したものであり、「アーム(14)は、外径の異なる複数の筒状部材(14a)(14b)により構成されており、スライド側アームである細径筒状部材(14b)が、固定側アームである太径筒状部材(14a)に入れ子状に収容されている」ことを特徴とする。
【００１２】
この発明では、アーム(14)を構成している細径筒状部材(14b)が太径筒状部材(14a)に入れ子状に収容されているので或は軸方向にスライド可能に取り付けられているので、その長さ（突出代）を伸縮自在に変更することができる。
【００１３】
請求項４に記載の車載用モニター取付具(80)は、請求項１〜３のいずれかに記載の車載用モニター取付具を限定したものであり、「固定台(82)は、アーム(14)に取り付けられるアーム側固定台(84)と、ヘッドレストステー(S)に取り付けられるステー側固定台(86)とで構成されており、ステー側固定台(86)に対してアーム側固定台(84)が後方にスライドして固定台(82)の全長が伸縮可能となっている」ことを特徴とする。
【００１４】
この発明では、固定台(82)が後方に伸縮できるので、厚みが異なる複数種類のシートに対して一種類の車載用モニター取付具(80)で対応することができる。
【００１５】
請求項５に記載の車載用モニター取付具(90)は、請求項１〜４のいずれかに記載の車載用モニター取付具を限定したものであり、「固定台(122)は、アーム(14')に取り付けられるアーム側固定台(124)と、ヘッドレストステー(S)に取り付けられるステー側固定台(126)とで構成されており、アーム側固定台(124)に対してステー側固定台(126)が水平方向に回動することにより固定台(122)の全長が調整可能となっている」ことを特徴とする。
【００１６】
この発明では、アーム側固定台(124)に対するステー側固定台(126)の取付角度を変更することによって固定台(122)の全長（前後方向の長さ）を調整することができる。
【発明の効果】
【００１７】
請求項１〜５に記載した発明によれば、アームがシートの背面側に配置されるので、シートの上部に凹所が形成されたスポーツタイプのシートであっても、従来例のように凹所の上部に車載用モニター取付具が配置されることはなく、ヘッドレストの位置が不所望に高くなることがない。したがって、通常タイプのシートは勿論、スポーツタイプのシートであっても一種類の車載用モニターで対応することができる。
【００１８】
請求項２、３に記載した発明によれば、アームの長さを伸縮自在に変更できるので、アームを伸縮させることでアームの先端に取り付けられたモニターを車室内の左右方向の任意の位置（即ち、運転席と助手席の間の任意の位置）に配置することが出来る他、位置調整により大型モニターから小型モニターまで対応することが出来る。なお、アームの長さは、アームを縮めた時にはアームの先端がシートの背部に配置され、アームを伸ばした時にはアームの先端が運転席と助手席の間に配置されるように設定しておくことが好ましく、このようにアームの長さを設定することで、運転席と助手席との間に配置したモニターを必要に応じて車載用モニター取付具の取付シートの背部に移動させることができ、ウォークスルー機能が害されることはない（換言すれば、普通のタイプの車は勿論、ウォークスルータイプの車であっても支障が生じない。）。
【００１９】
請求項４に記載した発明によれば、通常タイプのシートは勿論、スポーツタイプのシートであってもシートの厚みが異なる複数種類のシートに対して一種類の車載用モニター取付具で対応することができるようになるので、製造工程や在庫管理などを簡略化できる。
【００２０】
請求項４、５に記載した発明によれば、固定台の全長を調整できるので、モニターの設置位置を前後方向に調整することができる。
【発明を実施するための最良の形態】
【００２１】
以下、本発明を図示実施例に従って詳述する。
【実施例１】
【００２２】
本発明の適用された車載用モニター取付具（以下、単に「取付具」という。）(10)は、図９に示すようにヘッドレストステー(S)に取り付けられ、モニター(M)を前部座席（本実施例では運転席）に固定するためのものであり、図１〜図２からも分かるように左右一対の固定台(12)と、アーム(14)と、取付部材(16)とで大略構成されている。
【００２３】
各固定台(12)は、取付具(10)をヘッドレストステー(S)に固定する部分であり、図３〜図４に示すように、上部フレーム(12a)と底板(12b)とで構成されている。
【００２４】
上部フレーム(12a)は、金属等の剛性材料により形成された縦長で底部が開口した箱状の部材であり、その長辺方向の長さは、取付対象となるシートの厚みやアーム(14)の長さ、或いはモニター(M)の重量等の関係を考慮して適宜設定される。
【００２５】
上部フレーム(12a)の上面前端部には、ヘッドレストステー(S)が挿通される丸型のステー挿通用孔(18)が形成されており、上面後端部には、装飾用の曲面が形成されている。また、上部フレーム(12a)の長辺側の両側面には、アーム(14)を挿通するための略扇型のアーム挿通用孔(20)、およびドライバなどのネジ締付具(D)（図４）を挿通するための締付具挿通用孔(22)がそれぞれ形成されている。なお、アーム挿通用孔(20)は前記曲面が形成されている後部側に形成されており、締付具挿通用孔(22)はステー挿通用孔(18)の近傍に形成されている。
【００２６】
上部フレーム(12a)の天井面には、複数（この実施例では６つ）の凸部(24)が開口部に向かって突設されており、各凸部(24)の下端部には、ネジ孔(24a)が形成されている。なお、各凸部(24)の下端端縁は、アーム挿通用孔(20)の下辺よりも若干上方に位置している。また、上部フレーム(12a)の天井面におけるステー挿通用孔(18)の近傍には、後述するステー固定用部材(26)を固定するための固定板(25)が形成されている。
【００２７】
固定板(25)には、ステー固定用部材(26)が配置されている。ステー固定用部材(26)は、薄い金属板の中央部分をヘッドレストステー(S)の外周形状に合わせて丸く曲げた構成となっている。ステー固定用部材(26)の一方端部には、孔(28)が形成されており、他方端部には、ネジ孔(30)が形成されている。そして、孔(28)に挿通されたネジ(32)の端部がネジ孔(30)に螺合されている。なお、ステー固定用部材(26)を固定板(25)に沿って配置した状態では、ステー固定用部材(26)の湾曲部分がステー挿通用孔(18)に沿って配置され、孔(28)およびネジ孔(30)は、その中心が締付具挿通用孔(22)の中心と一致するように適宜設定されている（図４参照）。
【００２８】
底板(12b)は、その外形が上部フレーム(12a)の下面開口部の形状に合わせて形成された薄板状の部材であり、その周縁にはネジ孔(24a)と対応する位置に複数（本実施例ではネジ孔(24a)の個数に合わせて６つ）の孔(34)が形成されている。また、底板(12b)の端部には、上部フレーム(12a)のステー挿通用孔(18)と対応する位置にステー挿通用孔(36)が形成されている。
【００２９】
固定台(12)を形成する際には、上述したように、ステー固定用部材(26)を固定板(25)に沿って配置し、上部フレーム(12a)と底板(12b)とを組み合わせる。そして、ネジ(37)を底板(12b)の孔(34)に挿通するとともに上部フレーム(12a)のネジ孔(24a)に螺合する。
【００３０】
アーム(14)は、図２から分かるように、太径アーム部材(14a)と細径アーム部材(14b)とで構成されている。（なお、アーム(14)は、太径アーム部材(14a)に細径アーム部材(14b)を入れ子状にするものに限られず、太径アーム部材(14a)を一対の固定台(12)(82)の後端部に架設・固定される固定側アームとし、細径アーム部材(14b)を固定側アーム(14a)に対して軸方向にスライドするスライド側アームとしてもよく、この場合、取付部材(16)がスライド側アーム(14b)の自由端側に取り付けられることになる。）
太径アーム部材(14a)は、金属などの剛性材料により形成された長尺の筒状部材であり、その軸方向の長さは、取付具(10)を運転席に取り付けた時に、太径アーム部材(14a)の先端（図２における左側）がシートから突出しないように適宜設定されている。太径アーム部材(14a)の軸方向に直角な方向の断面形状は、アーム挿通用孔(20)の形状と略等しく設定されており、この実施例では略扇型に形成されている。また、太径アーム部材(14a)の上面における先端側には孔(38)が形成されている。
【００３１】
太径アーム部材(14a)の内部には、細径アーム部材(14b)が収容されている。細径アーム部材(14b)は、太径アーム部材(14a)と同様、金属などの剛性材料により形成された長尺の筒状部材であり、その軸方向の長さは、太径アーム部材(14a)内に細径アーム部材(14b)を収容したときに太径アーム部材(14a)の先端から細径アーム部材(14b)が大きく突出しないよう、太径アーム部材(14a)の長さと略等しく、或いはそれよりも短めに設定されている。細径アーム部材(14b)の軸方向に直角な方向の断面形状は、太径アーム部材(14a)の断面形状と相似形で、この実施例では略扇型に形成されている。ただし、細径アーム部材(14b)は、太径アーム部材(14a)の内部に収容する必要があるため、その断面形状の外径は、太径アーム部材(14a)の断面形状の内径よりも小さめに、より詳しくは、太径アーム部材(14a)内に細径アーム部材(14b)を収容したとき、両部材(14a)(14b)の間に隙間が生じるように設定されている。
【００３２】
細径アーム部材(14b)の外周面における基部側（図２における右側）には、柱状のストッパー(40)が取り付けられている。ここで、ストッパー(40)の高さは、太径アーム部材(14a)に細径アーム部材(14b)を収容したとき、両部材(14a)(14b)の間に生じる隙間よりも薄くなるように設定されている。
【００３３】
アーム(14)を形成する際には、太径アーム部材(14a)の基部側から細径アーム部材(14b)を挿入し、太径アーム部材(14a)の先端側から細径アーム部材(14b)を引き出す。そして、太径アーム部材(14a)に対する細径アーム部材(14b)の引き出し量を調整することにより、アーム(14)の長さを調整することができる。なお、上記引き出し量は、ストッパー(40)の存在によりその上限が規制されるが、この点については後述する。
【００３４】
太径アーム部材(14a)の基部側端部には、その端面を覆う目隠しとして機能するとともに、細径アーム部材(14b)のストッパーとしても機能するキャップ(42)が装着されている。また、太径アーム部材(14a)の先端には、ロック部材(44)が取り付けられている。
【００３５】
ロック部材(44)は、太径アーム部材(14a)内に収容された細径アーム部材(14b)を所望の位置にて固定するためのものであり、図５に示すように、ハウジング(46)、ハンドル(48)、押圧部材(50)および回動軸(52)により構成されている。
【００３６】
ハウジング(46)は、ブロック状のハウジング本体(46a)を有し、ハウジング本体(46a)には、先端側側面と基部側側面とを連通するアーム挿通用孔(46b)が形成されている。また、ハウジング本体(46a)の上面には、ハンドル(48)を支持するための一対の支持台(46d)がハウジング本体(46a)と一体的に形成されており、各支持台(46d)の内側面には、軸受穴(46e)が形成されている。さらにまた、ハウジング本体(46a)の上面であって、前記一対の支持台(46d)の間には、ハウジング本体(46a)の上面側とアーム挿通用孔(46b)とを連通する連通孔(46f)が形成されている。なお、連通孔(46f)は、その大きさが太径アーム部材(14a)の孔(38)と略等しく、或いは小さめに設定されている。
【００３７】
押圧部材(50)は、細径アーム部材(14b)を下方へ向けて押圧するための部材であり、その外周形状は連通孔(46f)の内周形状に合わせて形成されている。押圧部材(50)の下面は、細径アーム部材(14b)の上面の形状に合わせた湾曲面が形成されており、上面は後述するハンドル(48)の回動軸部の外周形状に合わせた湾曲面が形成されている。
【００３８】
ハンドル(48)は、円弧状に形成された細長の部材であり、その上端のやや厚肉に形成された部分には貫通孔(48a)が形成されている。なお、貫通孔(48a)は、ハンドル(48)を回動軸(52)を介して支持台(46d)に取り付けたとき、ハンドル(48)が回動軸(52)に対して偏心状態で回動するよう適宜設定される。
【００３９】
そして、ロック部材(44)のアーム挿通用孔(46b)には太径アーム部材(14a)の先端が挿入される。このとき、ロック部材(44)は、孔(38)の中心と連通孔(46f)の中心とが一致するように配置される。次に、連通孔(46f)に押圧部材(50)が嵌め込まれ、貫通孔(48a)に挿通された回動軸(52)が軸受穴(46e)に嵌め込まれる。
【００４０】
細径アーム部材(14b)の先端には、取付部材(16)が取り付けられている。取付部材(16)は、モニター(M)を取付具(10)に取り付けるためのものであり、図７〜図８からも分かるように、基台(56)、ボールベース(58)、ボールピン(60)、ハウジング(62)および調整ネジ(64)により構成されている。
【００４１】
基台(56)の中央部には、その上面と下面とを連通するネジ孔(68)が形成されており、ネジ孔(68)の上端部および下端部は中央部分に比べて拡径されている（図８参照）。また、基台(56)の側面には、アーム取付用穴(70)が形成されている。そして、ネジ孔(68)には下側の拡径部側からボルト(72)がねじ込まれている。
【００４２】
ネジ孔(68)の上側の拡径部にはボールベース(58)が配置されている。ボールベース(58)の下端部には、前述したネジ孔(68)の上側の拡径部に嵌合する嵌合凸部(58a)が形成されている。また、ボールベース(58)の上面には、後述するボールピン(60)の基部(60a)の外面に沿う湾曲面が形成されており、この湾曲面が球面受座(58b)である。また、ボールベース(58)の中心には、球面受座(58b)の上面と嵌合凸部(58a)の下面とを連通し、その中心軸が前記ネジ孔(68)の中心軸と一致する連通孔(58c)が形成されており、この連通孔(58c)には、前述のボルト(72)の先端が嵌め込まれている。
【００４３】
ボールベース(58)の球面受座(58b)にはボールピン(60)が載置されている。ボールピン(60)は、球状の基部(60a)と、基部(60a)に一体的に形成された突出部(60b)とで構成されており、突出部(60b)の先端には、モニター(M)の背面に形成されている取付溝（図示省略）に係合する係合凸部(60c)が取り付けられている。なお、係合凸部(60c)の形状は、モニター背面の取付溝（或いはその他の係止手段）の形状に応じて適宜設定すればよい。また、突出部(60b)の外周面には雄ネジ(60d)が刻設されており、この雄ネジ(60d)には調整ツマミ(74)が螺合されている。
【００４４】
基台(56)の上部には、ボールベース(58)およびボールピン(60)を覆う筒状のハウジング(62)が設けられている。ハウジング(62)の上端縁には、下方へ向かって突出し、ボールピン(60)の基部(60a)と接触する鍔部(62a)、およびボールピン(60)の突出部(60b)が挿通される切り欠き(62b)が形成されている。また、ハウジング(62)の側面には雌ネジ(62c)が形成されており、この雌ネジ(62c)には、ボールピン(60)を固定するための調整ネジ(64)が螺合されている。
【００４５】
取付具(10)を組み立てる際には、太径アーム部材(14a)の基部側を２個の固定台(12)のアーム挿通用孔(20)のそれぞれに挿通し、ネジ(37)を締付ける。すると、底板(12b)が太径アーム部材(14a)の下面を上方へ向けて押圧するので、アーム(14)（詳しくは、太径アーム部材(14a)）と固定台(12)とが強固に固定されることになる。そして、細径アーム部材(14b)の先端を取付部材(16)のアーム取付用穴(70)に嵌め込むことで、取付具(10)が得られる。
【００４６】
取付具(10)を用いてモニター(M)を前部座席に取り付ける際には、まず、ネジ(37)の締付力を調整し、２個の固定台(12)同士の間隔を２本のヘッドレストステー(S)同士の間隔と一致させ、再度ネジ(37)を締め付け、両部材(12)(14)を固定する。
【００４７】
次に、固定台(12)のステー挿通用孔(18)(36)にヘッドレストステー(S)を挿通し、ドライバなどの締付具(D)をネジ締付具挿通用孔(22)に挿入してネジ(32)を締付ける（図４参照）。すると、ステー固定用部材(26)におけるネジ孔(30)が形成されている側の端部がネジ作用によって孔(28)側へ引き寄せられるため、湾曲部の内径が小さくなってヘッドレストステー(S)が締め付けられる。これにより、固定台(12)とヘッドレストステー(S)とが確実に固定されることになる。
【００４８】
ここで、固定台(12)をヘッドレストステー(S)に取り付けた状態では、アーム(14)はシートの背面側に配置されることになるので、取付具(10)の取付対象がスポーツタイプのシートであっても、シート上方に形成された凹所(R)の上部に取付具(10)が配置されることがなく、ヘッドレストの位置が不所望に高くなることはない。
【００４９】
次に、モニター(M)の背面に設けられている取付溝（図示省略）に、ボールピン(60)の係合凸部(60c)を係止させ、調整ツマミ(74)を締付ける。これにより、取付部材(16)とモニター(M)とが固定され、前部座席へのモニター(M)の取り付けが完了する。
【００５０】
車室内におけるモニター(M)の左右方向の位置を変更する場合には、図６(B)に示すようにロック部材(44)のハンドル(48)を押し上げる。すると、回動軸(52)に対して偏心状態で取り付けられているハンドル(48)と押圧部材(50)との間に隙間が生じ、押圧部材(50)が細径アーム部材(14b)を押圧していた力が除去されるので、太径アーム部材(14a)に対する細径アーム部材(14b)の引き出し量（即ち、アーム(14)の長さ）を自在に調整することができる。
【００５１】
なお、細径アーム部材(14b)を先端側へ向けて引き出していくと、細径アーム部材(14b)の基部側に設けたストッパー(40)が押圧部材(50)と当接するので、これにより細径アーム部材(14b)の先端側への引き出し量が規制される。したがって、太径アーム部材(14a)から細径アーム部材(14b)が離脱することはない。また、上述したように、固定台(12)と太径アーム部材(14a)とが強固に固定されるので、細径アーム部材(14b)の引き出し時、或いは走行時の振動によって太径アーム部材(14a)が固定台(12)に対して位置ずれすることもない。
【００５２】
車室内におけるモニター(M)の左右方向の位置が決定し、モニター(M)の位置を固定する場合には、図６(A)に示すように、ロック部材(44)のハンドル(48)を押し下げる。すると、押圧部材(50)が押し下げられるとともに、細径アーム部材(14b)が太径アーム部材(14a)を下方へ押し付ける。これにより、太径アーム部材(14a)に対する細径アーム部材(14b)の位置が固定される。
【００５３】
モニター(M)の取付角度を変更したい場合には、調整ネジ(64)の締め付け力を緩めてボールピン(60)の角度を調整し、再度調整ネジ(64)を締め付けてボールピン(60)を固定する。こうすることでモニター(M)の取付角度を変更することが可能となる（図８参照）。
【００５４】
この実施例によれば、固定台(12)をヘッドレストステー(S)に取り付けると、アーム(14)はシートの背面側に配置されることになる。したがって、スポーツタイプのシートに取付具(10)を取り付ける場合であっても、従来例のようにシート上方に形成された凹所(R)の上部に取付具(10)が配置されることがなく、ヘッドレストの位置が不所望に高くなることはない。
【００５５】
また、太径アーム部材(14a)に対する細径アーム部材(14b)の引き出し量を調整することによってアーム(14)の長さを変更することができるので、モニター(M)を所望の位置に配置することができる。なお、本実施例では、アーム(14)の長さが、アーム(14)を縮めた時にはアーム(14)の先端がシートの背部に配置され、アーム(14)を伸ばした時にはアーム(14)の先端が運転席と助手席の間に配置されるように設定されている。したがって、通常は、モニター(M)を後部座席の見やすい位置（即ち、運転席と助手席との間）に配置しておき、必要が生じたとき（即ち、前部座席と後部座席との間を行き来する必要が生じたとき）には、アーム(14)を縮めてモニター(M)をシートの背部に移動させることができる（図９参照）。
【００５６】
つまり、普通の乗用車やウォークスルータイプのものは勿論、スポーツタイプのシートであっても、一種類の取付具(10)で統一的に取り付けることができ、しかもその取り付け時に支障が生じることはない。
【実施例２】
【００５７】
次に、図１０に示す第２実施例の取付具(80)について説明する。本実施例の取付具(80)は、固定台の長さを前後方向に調整できるようにしたものである。なお、以下には前述実施例と異なる点について説明することとし、同一部分については前述の記載を援用する。
【００５８】
取付具(80)は、左右一対の固定台(82)と、アーム(14)と、取付部材(16)とで構成されている。
【００５９】
各固定台(82)は、前述同様、取付具(80)をヘッドレストステー(S)に固定する部分であり、図１１から分かるように、アーム側固定台(84)とステー側固定台(86)とで構成されている。
【００６０】
アーム側固定台(84)は、上側ケーシング(84a)と底板(84b)とを有する。上側ケーシング(84a)は、その上面中央部分に段差が設けられたブロック状部材であり、段差よりも後方の部分には、両側面および下面に向けて開口するアーム受容部(88)が形成されており、後端面には、係合用溝(90)が形成されている。一方、上側ケーシング(84a)の段差よりも前方の部分には、前面および下面に向けて開口するステー側固定台受容部(92)が形成されており（図１２参照）、上面には、前後方向に延びる長孔(94)が形成されており、ステー側固定台受容部(92)の天井面には、下方に向かって延びる２個の突出部(96)が長孔(94)を挟んで設けられており、突出部(96)の下端面にはネジ穴(96a)が形成されている。
【００６１】
底板(84b)は、上側ケーシング(84a)の底部に配設され、アーム側固定台(84)の底面を構成する細長の薄板状部材であり、その長手方向一方端部には、係合用溝(90)に係合する係合凸部(98)が形成されており、長手方向他方端部には、ネジ穴(96a)の位置に合わせて位置決めされた２個の孔(100)が形成されている。
【００６２】
ステー側固定台(86)は、その中央部分にて段差が形成されたブロック状の部材であり、その前端部には、上面と下面とを連通するステー挿通用孔(102)が形成されており、一方の側面には、ステー挿通用孔(102)と連通するネジ孔(104)が形成されており（図１３参照）、このネジ孔(104)には、ステー固定用ネジ(105)が螺合されている。また、ステー側固定台(86)の後端部には、上面と下面とを連通し、前後方向に延びる２つの長孔(106)が所定間隔（２つの突出部(96)の間隔と一致する）を隔てて互いに平行に形成されており、２つの長孔(106)の間には、ネジ穴(108)が形成されている。
【００６３】
固定台(82)を形成する際には、ステー側固定台(86)の２つの長孔(106)のそれぞれにアーム側固定台(84)の突出部(96)をそれぞれ嵌め込む。次に、底板(84b)の係合凸部(98)を上側ケーシング(84a)の係合用溝(90)に係合して、上側ケーシング(84a)と底板(84b)とを組み合わせる。そして、ネジ(110)を底板(84b)の孔(100)に挿通するとともに上側ケーシング(84a)のネジ穴(96a)に螺合する。さらに、ネジ(112)を上側ケーシング(84a)の長孔(94)に挿通するとともに、ステー側固定台(86)のネジ穴(108)に螺合する。
【００６４】
取付具(80)を組み立てる際には、太径アーム部材(14a)の基部側を２個の固定台(82)のアーム受容部(88)にそれぞれに挿通し、ネジ(110)を締め付ける。すると、底板(84b)がアーム(14)（より正確には、太径アーム(14a)）の下面を上方へ向けて押圧するので、アーム(14)と固定台(82)とが確実に固定される。そして、前述実施例同様、細径アーム部材(14b)の先端を取付部材(16)のアーム取付用穴(70)に嵌め込むことで、取付具(80)が得られる。
【００６５】
取付具(80)を用いてモニター(M)を前部座席に取り付ける際には、まず、ネジ(112)の締め付け力を緩めてアーム側固定台(84)とステー側固定台(86)とが最も離れた状態（換言すれば、固定台(82)の前後方向の長さが最も長くなる状態）にしておく。そして、ネジ(110)の締付力を調整し、２個の固定台(82)同士の間隔を２本のヘッドレストステー(S)同士の間隔と一致させ、再度ネジ(110)を締め付け、両部材(82)(14)を固定する。次に、ステー固定用ネジ(105)を緩めてステー挿通用孔(102)にヘッドレストステー(S)を挿通し、再度ステー固定用ネジ(105)を締め付けることにより固定台(82)をヘッドレストステー(S)に固定する。そして、アーム側固定台(84)をステー側固定台(86)側へ近接させて両部材(84)(86)を所定位置にて位置決めし、ネジ(112)を締め付けて位置固定する。これにより、取付具(80)の前部座席への取り付けが完了する。
【００６６】
続いて、前述同様、取付部材(16)のボールピン(60)の係合凸部(60c)をモニター(M)の背面に設けられている取付溝（図示省略）に係止させ、調整ツマミ(74)を締め付ける。これにより取付部材(16)とモニター(M)とが固定され、モニター(M)の前部座席への取り付けが完了する。
【００６７】
なお、モニター(M)の左右方向の位置を変更する方法、およびモニター(M)の取り付け角度を変更する方法については、前述実施例と同様であるので、ここでは説明を省略する。
【００６８】
本実施例の取付具(80)によれば、前述実施例の取付具(10)に加えて以下の作用効果が得られる。即ち、固定台(82)の前後方向の長さが伸縮可能となっているので、車種ごとに厚みの異なる複数種類のシートに対して、取付具(80)を統一的に取り付けることができる。
【実施例３】
【００６９】
次に、図１４に示す第３実施例の取付具(120)について説明する。本実施例の取付具(120)は、固定台(122)を構成しているステー側固定台(126)をアーム側固定台(124)に対して水平方向に回動させることにより、固定台(122)の全長（前後方向の長さ）を調整できるようにしたものである。
【００７０】
取付具(120)は、左右一対の固定台(122)と、アーム(14’)と、取付部材(16’)とで構成されている。
【００７１】
各固定台(122)は、前述同様、取付具(120)をヘッドレストステー(S)に固定する部分であり、図１５〜１６からも分かるように、アーム側固定台(124)とステー側固定台(126)とで構成されている。
【００７２】
アーム側固定台(124)は、上側ケーシング(124a)と底板(124b)とを有する。上側ケーシング(124a)は、縦長で底部が開口した箱状の部材である。上側ケーシング(124a)の上面前端部には、凹所(128)が形成されており、凹所(128)の中央部分には、丸孔(128a)が形成されている。一方、上側ケーシング(124a)の上面後端部には、装飾用の曲面が形成されている。
【００７３】
上側ケーシング(124a)の長辺側の両側面後端部分（上記曲面が形成されている付近）には、アーム(14')（より詳しくは、太径アーム部材(14a')）を受容するアーム受容部(130)が形成されている。
【００７４】
上側ケーシング(124a)の天井面前端部には、図１７に示すように、前記丸孔(128a)を中心として放射状に延びる複数（本実施例では４本）のリブ(132)が形成されている。また、上側ケーシング(124a)の天井面後端部には、アーム(14’)の凹溝(14c')（後述）と係合するリブ(134)および下方に向かって延びる２個の凸部(136)が設けられており、凸部(136)の下面には、ネジ穴(136a)が形成されている。
【００７５】
底板(124b)は、上側ケーシング(124a)の底部に配設され、アーム側固定台(124)の底面を構成する細長の板状部材であり、その後端部には、ネジ穴(136a)の位置に合わせてそれぞれ位置決めされた２個の丸孔(138)が形成されている。また、底板(124b)の上面であってアーム受容部(130)と対応する位置には、クッション部材(140)が取り付けられている。クッション部材(140)は、取付具(120)の組み立て時において太径アーム部材(14a')と当接し、アーム側固定台(124)が太径アーム部材(14a')に対して軸方向にスライドするのを防止するためのものであり、その材質としては、例えばゴムなどのように弾性を有し、且つ、太径アーム部材(14a')との摩擦力の大きな素材が適宜使用される。さらにまた、底板(124b)の前端部であって丸孔(128a)と対応する位置には、上方に向かって延びる突出部(142)が形成されており、突出部(142)の上面にはネジ穴(142a)が形成されている。
【００７６】
ステー側固定台(126)は、上側ケーシング(126a)と底板(126b)とを有する。上側ケーシング(126a)は、その中央部分にて段差が形成された下面開口の箱状部材であり、その上面前端部にはステー挿通用孔(144)が形成されている。上側ケーシング(126a)の上面後端部であって、後述する丸孔(150a)の周囲には、放射状に延びる複数（本実施例では、２４本）の凹溝(146)が形成されている。また、上側ケーシング(126a)の長辺側の両側面前端部には、締付具挿通用孔(147)が形成されている。
【００７７】
上側ケーシング(126a)の天井面前端部には、下方に向かって延びる凸部(148)および固定板（図示省略）が形成されており、凸部(148)の下面には、ネジ穴(148a)が形成されており、固定板には、ステー固定用部材(26)が配置されている。
【００７８】
また、上側ケーシング(126a)の天井面後端部には、下方に向かって延びる突出部(150)が形成されており、突出部(150)には、その上面と下面とを連通する丸孔(150a)が形成されている。なお、丸孔(150a)の内径は、底板(124b)の突出部(142)の外径よりも若干大き目に設定されており、丸孔(150a)に突出部(142)が嵌合できるようになっている。
【００７９】
底板(126b)は、上側ケーシング(126a)の底部に配設され、ステー側固定台(126)の底面を構成する細長の薄板状部材であり、その前端部には、ステー挿通用孔(144)の位置に合わせて位置決めされたステー挿通用孔(152)、およびネジ穴(148a)の位に合わせて位置決めされた２個の丸孔(154)が形成されている。また、底板(126b)の後端部には、丸孔(150a)の位置に合わせて位置決めされた丸孔(156)が形成されている。なお、丸孔(156)の内径は、突出部(142)の外径よりも若干大き目に設定されている。
【００８０】
固定台(122)を形成する際には、まず、ステー固定用部材(26)を上側ケーシング(126a)の天井面に形成された図示しない固定板に沿って配置し、上側ケーシング(126a)と底板(126b)とを組み合わせる。そして、ネジ(158)を底板(126b)の丸孔(154)に挿通するとともに上部ケーシング(126a)のネジ穴(148a)に螺合する。
【００８１】
次に、ステー側固定台(126)の丸孔(156)および丸孔(150a)に底板(124b)の突出部(142)を嵌め込み、然る後、上側ケーシング(124a)と底板(124b)とを組み合わせる。そして、ネジ(160)を底板(124b)の丸孔(138)に挿通するとともに上側ケーシング(124a)のネジ穴(136a)に螺合する。また、ネジ(162)を上側ケーシング(124a)の丸孔(128a)に挿通するとともに、突出部(142)のネジ穴(142a)に螺合する。
【００８２】
なお、固定台(122)の組み立て状態においては、アーム側固定台(124)の前面部分および前方側面部分に隙間が形成されており、ステー側固定台(126)がアーム側固定台(124)に対して突出部(142)を軸として水平方向に回動することができる。
【００８３】
アーム(14')は、前述同様、太径アーム部材(14a')と細径アーム部材(14b')とで構成されている。太径アーム部材(14a')は、その軸方向に直角な方向の断面形状が略円形状に形成されており、その上端部および下端部には、軸方向に延びる凹溝(164)が形成されている。細径アーム部材(14b')は、太径アーム部材(14a')の断面形状と相似形に形成されており、その上端部および下端部には、軸方向に延びる凹溝(166)が形成されている。
【００８４】
太径アーム部材(14a')の先端には、前述同様、ロック部材(44')が取り付けられている。ロック部材(44')は、ハウジング本体(46a)、およびハウジング本体(46a)の先端側側面と基部側側面とを連通するアーム挿通用孔(46b')の形状が太径アーム部材(14a')の形状に合わせて略円形状に形成されている以外は前述実施例とその構成が同様であるので、一致部分の構成については、前述実施例の記載を援用する。
【００８５】
細径アーム部材(14b')の先端には、取付部材(16')が取り付けられている。取付部材(16')は、基台(56')の形状およびアーム取付用穴(70')の形状が細径アーム部材(14b')の形状に合わせて略円形状に形成されている以外は前述実施例とその構成が同様であるので、一致部分の構成については、前述実施例の記載を援用する。
【００８６】
取付具(120)を組み立てる際には、太径アーム部材(14a')の基部側を２個の固定台(122)のアーム受容部(130)にそれぞれ挿通し、ネジ(160)を締め付ける。すると、底板(124b)がクッション部材(140)を介して太径アーム部材(14a')の下面を上方へ向けて押圧するので、アーム(14')と固定台(122)とが確実に固定される。なお、アーム(14')と固定台(122)とが固定された状態では、太径アーム部材(14a')の上端部に形成された凹溝(164)に上側ケーシング(124a)のリブ(134)が嵌り込んでおり、太径アーム部材(14a’)がその軸方向を中心として回転するのを抑止する。そして、前述実施例同様、細径アーム部材(14b')の先端を取付部材(16')のアーム取付用穴(70')に嵌め込むことで、取付具(120)が得られる。
【００８７】
取付具(120)を用いてモニター(M)を前部座席に取り付ける際には、まず、ネジ(162)の締め付け力を緩めてアーム側固定台(124)に対するステー側固定台(126)の取付角度を所望の角度に調整し（即ち、図１４に示すように、アーム側固定台(124)とステー側固定台(126)とを同一直線上に並んで配置してもよいし、図１８に示すように、アーム側固定台(124)に対してステー側固定台(126)を回動させた状態で配置してもよい。）、再度ネジ(162)を締め付け、アーム側固定台(124)とステー側固定台(126)とを固定する。そして、ネジ(160)の締付け力を調整して２個の固定台(122)同士の間隔（より詳しくは、ステー挿通用孔(144)(152)同士の間隔）を２本のヘッドレストステー(S)同士の間隔と一致させ、再度ネジ(160)を締め付け、固定台(122)とアーム(14')とを固定する。
【００８８】
次に、固定台(122)のステー挿通用孔(144)(152)にヘッドレストステー(S)を挿通し、前述同様、締結具(D)をネジ締付具挿通用孔(147)に挿入してネジ(164)を締付ける。これにより、固定台(122)とヘッドレストステー(S)とが確実に固定され、取付具(120)の前部座席への取り付けが完了する。
【００８９】
続いて、前述同様、取付部材(16')のボールピン(60)の係合凸部(60c)をモニター(M)の背面に設けられている取付溝（図示省略）に係止させ、調整ツマミ(74)を締め付ける。これにより取付部材(16)とモニター(M)とが固定され、モニター(M)の前部座席への取り付けが完了する。
【００９０】
本実施例の取付具(120)によれば、前述実施例の取付具(10)に加えて以下の作用効果が得られる。即ち、通常タイプのシートに取付具(120)を使用してモニター(M)を取り付ける際には、アーム側固定台(124)に対するステー側固定台(126)の取付角度を変更することによって固定台(122)の全長（前後方向の長さ）を調整することができるので、モニター(M)の設置位置を前後方向に調整することができる。
【００９１】
なお、図示しないが、第２実施例の固定台(82)と第３実施例の固定台(122)とを組み合わせたものを固定台として使用してもよい。この場合には、固定台が前後方向に伸縮可能且つ水平方向に回動可能となるように構成されるので、固定台の前後方向の長さをより広い範囲で調整できることになる。
【図面の簡単な説明】
【００９２】
【図１】本発明にかかる車載用モニター取付具の斜視図
【図２】本発明にかかる車載用モニター取付具の分解斜視図
【図３】固定台を示す分解斜視図
【図４】固定台部分を示す底面図
【図５】ロック部材を示す斜視図
【図６】ロック部材のロック・アンロック状態を示す断面図
【図７】取付部材を示す正面図および左側面図
【図８】取付部材を示す断面図
【図９】本発明にかかる車載用モニター取付具を用いてモニターをシートに取り付けた状態を示す斜視図
【図１０】本発明にかかる第２実施例の車載用モニター取付具の斜視図
【図１１】固定台を示す分解斜視図
【図１２】固定台を構成する上側ケーシングを示す側面図および背面図
【図１３】固定台を構成するステー側固定台を示す斜視図
【図１４】本発明にかかる第３実施例の車載用モニター取付具の斜視図
【図１５】固定台を示す分解斜視図
【図１６】固定台を示す断面図
【図１７】アーム側固定台を構成する上側ケーシングの底面図
【図１８】アーム側固定台に対するステー側固定台の取付角度を変更した例を示す図
【図１９】従来技術を示す図
【符号の説明】
【００９３】
１０  車載用モニター取付具
１２  固定台
１４  アーム
１４ａ  太径アーム部材
１４ｂ  細径アーム部材
１６  取付部材
４４  ロック部材
【図１】
2005313861.tif 000003
【図２】
2005313861.tif 000004
【図３】
2005313861.tif 000005
【図４】
2005313861.tif 000006
【図５】
2005313861.tif 000007
【図６】
2005313861.tif 000008
【図７】
2005313861.tif 000009
【図８】
2005313861.tif 000010
【図９】
2005313861.tif 000011
【図１０】
2005313861.tif 000012
【図１１】
2005313861.tif 000013
【図１２】
2005313861.tif 000014
【図１３】
2005313861.tif 000015
【図１４】
2005313861.tif 000016
【図１５】
2005313861.tif 000017
【図１６】
2005313861.tif 000018
【図１７】
2005313861.tif 000019
【図１８】
2005313861.tif 000020
【図１９】
2005313861.tif 000021